(57)【特許請求の範囲】
【請求項１】
上下逆転させて使用可能なプロジェクタであって、
ランプバルブの上側及び下側に設置され、前記ランプバルブの冷却用の空気の流れを制御する冷却用空気整流手段を有し、
前記冷却用空気整流手段は、上側にあるときにランプバルブのリフレクタの前面側へ前記冷却用の空気を前記ランプバルブの上側から導入し、下側にあるときには、前記リフレクタの後面側に冷却用の空気を導入することを特徴とするプロジェクタ。
【請求項２】
前記冷却用空気整流手段は、下側に配置されたときに、前記ランプバルブを冷却した後の空気を前記リフレクタの後面側へ流れるように制御することを特徴とする請求項１に記載のプロジェクタ。
【請求項３】
前記ランプバルブ及び前記リフレクタが備わるユニットの上側及び下側を、前記ユニットとで空間を作るように覆う第１及び第２のカバーを有し、
前記冷却用空気整流手段は、下側に配置されたときに、ダクトを経由して供給され前記リフレクタの後方に導入される冷却用の空気を、前記ユニットと前記第１及び第２のカバーにより作られる空間へ迂回させ、
前記ユニットは、外装部分に前記迂回された冷却用の空気をリフレクタの後面側に取り込む開口を有する
ことを特徴とする請求項１または２に記載のプロジェクタ。
【請求項４】
前記開口は、前記迂回された冷却用の空気と前記ランプバルブを冷却した後の空気とを混合する位置に形成されることを特徴とする請求項３に記載のプロジェクタ。
【請求項５】
前記ランプバルブ及びリフレクタが備わるユニットは、冷却風の上流側の上側及び下側の部分に冷却用開口を有し、
前記冷却用開口は、上側にあることきにはリフレクタの前面側を通る冷却用の空気の導入口として機能し、下側にあるときには前記リフレクタの前面側を通った冷却用の空気の出口として機能することを特徴とする請求項１から４までのいずれか１項に記載のプロジェクタ。
【請求項６】
前記第１及び第２のカバーに設けられ、外部の空気を取り入れる空気取得口と、
上側にあるときに、前記空気取得口から取得した空気を前記リフレクタの後方に導入し、下側にあるときには前記空気取得口を塞ぐ整流手段を有することを特徴とする請求項３から５までのいずれか１項に記載のプロジェクタ。
【請求項７】
前記冷却用空気整流手段は、上側にあるときに、前記冷却用開口の一部を塞ぐことを特徴とする請求項５又は６に記載のプロジェクタ。
【発明の詳細な説明】
【技術分野】
【０００１】
本発明は、プロジェクタに係り、特にランプの冷却機構を有するプロジェクタに関する。
【背景技術】
【０００２】
一般に、プロジェクタのランプ（または「ランプバルブ」ともいう）は、高出力のものほど寿命が短い。ランプバルブの寿命が短くなる原因は、ランプ温度が鉛直方向で上側が高温になるため、使用時間の経過とともにランプバルブの失透現象（ガラス部分が劣化して、くもってしまう現象）が進行していくことにある。そのためにプロジェクタから投光されたスクリーン光束が減少する。
【０００３】
そこで、ランプ温度を低減する冷却技術として、下側の空気取入口からリフレクタ内部に対して冷却用の空気を取り入れ、ランプバルブを冷却し上側の空気排出口から排熱することが提案されている。そして、上側の空気取入口近傍には、前方から後方へ空気を流す開口が設けられており、前方から後方へ流れる空気（冷風）にリフレクタから排出される空気（熱風）を混合させている（特許文献１参照）。
【０００４】
【特許文献１】特開２００３−１５７７１５号公報
【発明の開示】
【発明が解決しようとする課題】
【０００５】
しかし、特許文献１に開示の技術では、冷風への排熱の混合が不十分の場合があり、改善が求められていた。また、プロジェクタは据え置き状態で使用されたり、天吊り設置されて上下反対で使用されたりするため、実際の使用のときにランプバルブのどの面が上側になるかは必ずしも定まっていない。そこで一般には、設置態様の違いがあった場合でも、ランプ温度のバランスを適正にするために、ランプ側面方向から冷却用の空気が供給される構成となっていた。このため、ランプバルブが最高温度となる上側部分の冷却が不十分で、失透現象を遅延させる事ができなかった。
【０００６】
本発明は、以上のような状況に鑑みなされたものであって、その目的は、プロジェクタのランプバルブを効果的に冷却する技術を提供することにある。
【課題を解決するための手段】
【０００７】
本発明に係る装置は、プロジェクタに関する。このプロジェクタは、上下逆転させて使用可能なプロジェクタであって、ランプバルブの上側及び下側に設置され、前記ランプバルブの冷却用の空気の流れを制御する冷却用空気整流手段を有し、前記冷却用空気整流手段は、上側にあるときにランプバルブのリフレクタの前面側へ前記冷却用の空気を前記ランプバルブの上側から導入し、下側にあるときには、前記リフレクタの後面側に冷却用の空気を導入する。
前記冷却用空気整流手段は、下側に配置されたときに、前記ランプバルブを冷却した後の空気を前記リフレクタの後面側へ流れるように制御してもよい。
また、前記ランプバルブ及び前記リフレクタが備わるユニットの上側及び下側を、前記ユニットとで空間を作るように覆う第１及び第２のカバーを有し、前記冷却用空気整流手段は、下側に配置されたときに、ダクトを経由して供給され前記リフレクタの後方に導入される冷却用の空気を、前記ユニットと前記第１及び第２のカバーにより作られる空間へ迂回させ、前記ユニットは、外装部分に前記迂回された冷却用の空気をリフレクタの後面側に取り込む開口を有してもよい。
また、前記開口は、前記迂回された冷却用の空気と前記ランプバルブを冷却した後の空気とを混合する位置に形成されてもよい。
また、前記ランプバルブ及びリフレクタが備わるユニットは、冷却風の上流側の上側及び下側の部分に冷却用開口を有し、前記冷却用開口は、上側にあることきにはリフレクタの前面側を通る冷却用の空気の導入口として機能し、下側にあるときには前記リフレクタの前面側を通った冷却用の空気の出口として機能してもよい。
また、前記第１及び第２のカバーに設けられ、外部の空気を取り入れる空気取得口と、上側にあるときに、前記空気取得口から取得した空気を前記リフレクタの後方に導入し、下側にあるときには前記空気取得口を塞ぐ整流手段を有してもよい。
また、前記冷却用空気整流手段は、上側にあるときに、前記冷却用開口の一部を塞いでもよい。
【発明の効果】
【０００８】
本発明によれば、プロジェクタのランプを効果的に冷却でき、ランプバルブの失透現象を遅延させることができる。
【発明を実施するための最良の形態】
【０００９】
次に、本発明を実施するための最良の形態（以下、単に「実施形態」という）を、図面を参照して具体的に説明する。以下の実施形態では、据え置きとともに、上下を逆転させて天吊り設置可能なプロジェクタのランプの冷却について詳細に説明する。より具体的には、ランプバルブの表面において、最高温度部を大きく低減し、失透現象を遅延させる。
【００１０】
失透現象とは、ランプバルブの材質である石英が、クリストバライトと呼ばれる物質に転移していく現象により生じるものである。クリストバライトが発生するとランプバルブがくもり、光量が低下する。使用当初は約１０５０℃で石英からクリストバライトへ転移するが、使用に伴いランプバルブ内に不純物が増加していき、転移温度が低下していく。そのため、徐々に失透現象が進行し、失透サイズも拡大していく。この失透現象の進行は、温度が高いほど、また不純物が多いほど速くなる。
【００１１】
なお、ランプ寿命に影響を与える原因として他に、ランプ電極の消耗によるアーク長の伸びがあるが、その影響度は失透現象と比較すると小さい。また、失透現象は、最高温度部から発生し拡大していくことが知られている。一方、ランプバルブの表面の最低温度が低いと、バルブ内の水銀の蒸発を妨げるため、明るさが減少してしまう。そのため理想のランプバルブの温度バランスは、最高温度が極力低く最低温度が所定の温度以上になっていることが望ましい。
【００１２】
以下の実施形態では、ランプバルブの最低温度を確保しつつ、ランプバルブの最高温度部を大きく低減し、ランプバルブの失透現象を効果的に低減するものである。
【００１３】
＜第１の実施の形態＞
図１は、本実施形態にプロジェクタ１０の外観を模式的に示しており、図１（ａ）は、プロジェクタ１０を据え置き状態で設置したときに側面から見た図であり、図１（ｂ）は据え置き状態における正面から見た図であり、図１（ｃ）は上下逆転して天吊りされた状態を示している。図示のように、プロジェクタ１０は、映像を投光するレンズ機構１３や、吸気口１１及び排気口１２を備えている。そして、吸気口１１の内部には、後述のランプ冷却ファン２４が設けられており、排気口１２の内部には排熱ファン２６が設けられている。また、図２は、プロジェクタ１０の構成を模式的に示した図であり、特に、投光部２０の冷却系統に着目して示している。なお、図２（ａ）は、据え置き状態で設置された状態を示しており、図２（ｂ）は上下逆転して天吊りされた状態を示している。また、図３は、投光部２０の正面図（メカ部２２側からみた図）を模式的に示している。
【００１４】
図示のように、プロジェクタ１０は、投光部２０と、メカ部２２と、ランプ冷却ファン２４と、排熱ファン２６と、吹付ダクト２８とを有している。具体的な配置として、前方（図左側）のランプ冷却ファン２４から吹付ダクト２８が第１の吹付ダクト２８ａ及び第２の吹付ダクト２８ｂの上下に分離してメカ部２２を挟むように後方（図右側）に延びる。そして、メカ部２２の後側（図右側）に配置された投光部２０の上側及び下側部分に吹付ダクト２８が接続する。第１及び第２の吹付ダクト２８ａ，２８ｂは、冷風を投光部２０へ供給し、投光部２０を冷却した空気は投光部２０の後側に取り付けられた排熱ファン２６より排出される。
【００１５】
メカ部２２は、液晶パネルや、入力した映像信号を液晶パネルに出力するための画像処理システムや、レンズ機構１１などを有している。
【００１６】
投光部２０は、外装部４０と、外装部４０の内部に設置されるランプ部３０と、ランプ部３０への冷却風を導入するための上整流部６１及び下整流部６２と、を有している。
【００１７】
ランプ部３０は、高圧水銀ランプであるランプバルブ３２と、ランプバルブ３２から放射される光を適切に所望の方向に反射させるリフレクタ３４とを有している。
【００１８】
リフレクタ３４は、前面側を開口とするパラボラ状となっており、ランプバルブ３２から放出される光を前方へ反射させる。
【００１９】
また、リフレクタ３４の開口側の端部３４ａとメカ部２２の後部外縁の間には、上側の第１のリフレクタ前方開口部３５と、下側の第２のリフレクタ前方開口部３６とが形成されている。第１及び第２のリフレクタ前方開口部３５，３６は、それぞれ上側にあるときには冷却風の吸入口として機能し、下側にあるときには排熱口として機能する。そして、リフレクタ３４の端部３４ａの上側の位置は、第１の吹付ダクト２８ａの内側の端部と一致している。同様に、リフレクタ３４の端部３４ａの下側の位置は、第２の吹付ダクト２８ｂの内側の端部と一致している。
【００２０】
第１の吹付ダクト２８ａの後方（図右側）には、上整流部６１が設置され、第２の吹付ダクト２８ｂの後方（図右側）には、下整流部６２が設置されている。例えば、図２（ａ）では、第１の吹付ダクト２８ａを通ってきた空気は、ダクト開口２９ａから投光部２０へ供給される。
【００２１】
図４は、上整流部６１及び下整流部６２の構造を模式的に示した図である。図４（ａ）は上側にあるときの状態を示しており、図４（ｂ）は下側にあるときの状態を示している。上整流部６１及び下整流部６２は、板状の整流板６６と、短辺側（図３参照）の両端から延出する回転軸６７と、整流板６６に取り付けられたおもり６８とを有する。整流板６６は水平状態に対して±４５度回転可能になっている。また、おもり６８は整流板６６の長辺側の後側端部（図４右側）に取り付けられており、整流板６６は、重力によって左側が上に右側が下になるように斜めになる。なお、おもり６８の代わりに、整流板６６の重量バランスが、後方側（図４右側）が重たくなるようにしてもよい。
【００２２】
図２（ａ）及び図４（ａ）に示す据え置き状態の場合、ダクト開口２９ａから投光部２０へ供給された冷却用の空気は、上整流部６１により流れの向きを変えて、第１のリフレクタ前方開口部３５からランプバルブ３２（リフレクタ３４内部）へ供給される。そして、冷却用の空気は、まずランプバルブ３２の上側（最高温度部）３２ａに当たり、冷却後の空気は下側に流れ、第２のリフレクタ前方開口部３６から排出される。
【００２３】
また、図２（ｂ）及び図４（ｂ）に示す上下逆転の天吊り状態の場合、同様にして、ダクト開口２９ｂから投光部２０へ供給され冷却用の空気は、下整流部６２により流れの向きを変えて、第２のリフレクタ前方開口部３６からランプバルブ３２へ供給される。そして、冷却用の空気は、まずランプバルブ３２の上側（最高温度部）３２ｂに当たり、冷却後の空気は下側に流れ、第１のリフレクタ前方開口部３５から排出される。
【００２４】
そして、外装部４０の上側の面には上開口５２が、下側の面には下開口５４が形成されている。上開口５２は、迂回用上開口５２ａと導入用上開口５２ｂとから構成されている。迂回用上開口５２ａは、ダクト開口２９ａの端部から所定の長さで形成されている。ここでは、リフレクタ３４の端部３４ａからダクト開口２９ａまでの距離と略同一となっているが、これに限る趣旨ではない。
【００２５】
さらに、迂回用上開口５２ａの後方には導入用上開口５２ｂとして４つの開口が設けられている。なお、この導入用上開口５２ｂの形状は、下流側（後側）が内側に向かう形状であると、下側になったときにリフレクタ３４の後方への空気の導入がより円滑になる。なお、後述する導入用下開口５４ｂも同様である。そして、上開口５２を覆うように断面形状が台形の上カバー４４が取り付けられている。上カバー４４と上開口５２で形成される空間が、後述する冷却風の迂回通路として機能する。
【００２６】
同様に、下開口５４は迂回用下開口５４ａと導入用下開口５４ｂとから構成されている。導入用下開口５４ｂは、ダクト開口２９ｂの端部から所定大きさで形成されている。また、迂回用下開口５４ａの後方には導入用下開口５４ｂとして４つの開口が設けられている。そして、下開口５４を覆うように断面形状が台形の下カバー４６が取り付けられている。下カバー４６と下開口５４との間に形成される空間が、上述同様に冷却風の迂回通路として機能する。
【００２７】
そして、図２（ａ）に示すように、プロジェクタ１０が据え置きされているときは、上整流部６１の整流板６６は、後側が下の斜め状態になり、リフレクタ３４の端部３４ａの上側と第１の吹付ダクト２８ａのダクト開口２９ａの外側の端部との間の空間を閉鎖する。その結果、第１の吹付ダクト２８ａを通ってきた冷却風は、進路を内側に向け、リフレクタ３４の内部、つまりランプバルブ３２へ向かう。これによって、ランプバルブ３２では、最高温度となっている上側部分が効果的に冷却される。
【００２８】
ランプバルブ３２を冷却した空気である排熱空気は下側に流れる。そして、迂回用下開口５４ａは下整流部６２によって塞がれているため、排熱空気は下整流部６２の整流板６６によって流れの向きを後方向へ変え、リフレクタ３４の後方の排熱ファン２６へ流れ、排熱ファン２６から外部に排出される。
【００２９】
また、リフレクタ３４の後側の空間には、第２の吹付ダクト２８ｂから供給された冷却風が、迂回用下開口５４ａから下カバー４６と外装部４０により形成される空間に導入され、さらに、導入用下開口５４ｂからリフレクタ３４の後方に導入される。これによって、ランプバルブ３２を冷却した排熱空気は所定の温度以下まで冷却され、排熱ファン２６から外部に排出される排熱空気の温度を所定の温度まで低下させることが出来る。
【００３０】
そして、図２（ｂ）に示すような、プロジェクタ１０を上下逆転させて天吊り状態にしたときであっても、同様の作用が得られる。つまり、上側になった下整流部６２により、同様に上側になった第２の吹付ダクト２８ｂを通る冷却風が、リフレクタ３４の上側からリフレクタ３４の内部に導入され、ランプバルブ３２を上側から冷却する。そして、ランプバルブ３２を冷却した空気である排熱空気は、下側に流れる。
【００３１】
そして、排熱空気は、下側になった迂回用上開口５２ａを塞いでいる上整流部６１の整流板６６により、リフレクタ３４の後方へ向きを変え、排熱ファン２６から排出される。また、下側になった第１の吹付ダクト２８ａを通った冷却風は、上整流部６１により迂回用上開口５２ａを通って、ランプカバー４２と外装部４０で形成される空間に迂回し、導入用上開口５２ｂからリフレクタ３４の後方に導入される。これによって、図２（ａ）と同様に、排熱空気が所望の温度まで冷却される。
【００３２】
図５に、横方向から冷却風を導入する従来方式の構成と本実施形態による構成によるランプバルブ３２の表面温度に関して、最高温度と最低温度を計測した結果を示す。
【００３３】
図示のように、従来方式の構成では最高温度が９００℃であったが、本実施形態では８１０℃まで、９０℃低下させることができる。これによって、ランプバルブ３２の失透現象を遅延できる。また、従来方式では最低温度が７３０℃であったが、本実施形態では７７０℃となった。これによって、最高温度と最低温度の差が少なく、ランプバルブ３２内の水銀の蒸発状態を均一に近づけることができる。したがって、ランプバルブ３２から放射される光を均一化できる。
【００３４】
以上の構成によれば、プロジェクタ１０を据え置き状態で使用した場合でも、上下を逆さまにした天吊り状態で使用した場合であっても、ランプバルブ３２を最高温度部である上側から冷却できる。
【００３５】
また、上整流部６１及び下整流部６２は、据え置き状態であっても上下逆の天吊り状態であっても、必ずランプバルブ３２の上側から冷却風を導入するように作動するので、ユーザはランプバルブ３２の冷却に特に意識する必要はない。なお、上整流部６１及び下整流部６２は重力により適正に動く構成であったが、例えば回転軸６７をモータなどの駆動手段で回動させる構成であってもよい。その場合は、天吊り状態のように逆さまに配置されていることを検知できるセンサや、ユーザからの設定の入力を受け付けるボタンなどを設ければよい。
【００３６】
＜第２の実施形態＞
図６は、本実施形態に係るプロジェクタ１００の構成を模式的に示した図である。本実施形態では、第１の実施形態で示したプロジェクタ１０の構成と大きく異なる点は、二つの整流部を追加して、リフレクタ３４の後方の空間に、冷却風を効果的に導入する構成としたことにある。以下、主に第１の実施形態と異なる構成について説明する。
【００３７】
第１の実施形態と異なる構成は、まず、上カバー４４及び下カバー４６において、それぞれの前方部分（図左側）に上空気吸入口７２及び下空気吸入口７４として二つの開口を設けた。そして、上カバー４４及び下カバー４６の外側部分は、吹付ダクト２８の一部を覆うように、前方に延出している。
【００３８】
また、上空気吸入口７２から後方（図中右側）に延びる通路上でかつ上整流部６１の外側には、上整流部６１と同じ構成で同じ動作をする上カバー整流部６３が設置されている。
【００３９】
そして、図示のように上カバー整流部６３が外側（図中上側）にあるときには、上整流部６１により、第１の吹付ダクト２８ａを通ってきた冷却風をリフレクタ３４内部のランプバルブ３２に上から導入する。また、上空気吸入口７２の空間を上整流部６１と上カバー整流部６３とが作る経路（空間）によって、外部の空気をリフレクタ３４の後方の空間に導入する。なお、上空気吸入口７２からの空気の導入は、排熱ファン２６が回転するときにリフレクタ３４の後方の空間が負圧になることによってなされる。
【００４０】
同様に、下空気吸入口７４から後方に延びる通路上でかつ下整流部６２の外側（図中下側）には、下整流部６２と同じ構成の下カバー整流部６４が設置されている。そして、下カバー整流部６４が下側にあるとき、下カバー整流部６４は、下空気吸入口７４を外部に対して塞ぐように位置することになる。
【００４１】
これによって、第２の吹付ダクト２８ｂを通ってきた冷却風を、第１の実施形態と同様に外装部４０と下カバー４６とで作る空間を経由させて、導入用下開口５４ｂからリフレクタ３４後方の空間に導入できる。つまり、第２の吹付ダクト２８ｂを通ってきた冷却風が下空気吸入口７４方向へ分流してしまうことが防止でき、リフレクタ３４後方に適切に冷却風を導入できる。
【００４２】
そして、プロジェクタ１００を上下逆さまにした場合であっても、上述と同様の冷却風の導入を行える。つまり、上側となった下整流部６２により第２の吹付ダクト２８ｂを通ってきた冷却風を、リフレクタ３４内部のランプバルブ３２に上から導入する。そして、下整流部６２と下カバー整流部６４とが作る経路（空間）により、上側になった下空気吸入口７４からリフレクタ３４の後方に冷却風を導入できる。
【００４３】
このような構成によると、第１の実施形態と同様の効果が得られると共に、リフレクタ３４の後方を冷却する為の空気を効果的にリフレクタ３４後方の空間に導入できる。また、排熱ファン２６から排出される空気の温度を低下させることができる。
【００４４】
＜第３の実施形態＞
本実施形態のプロジェクタ２００では、リフレクタ３４内部に導入される冷却風がランプバルブ３２を冷却するときに加熱されて体積が膨張することを考慮して、リフレクタ３４内部への吸入口のサイズに比べて、排気口のサイズを大きくしている。
【００４５】
図７は、ランプバルブ３２の冷却前後の空気の体積変化の計算値を示した表である。冷却前の温度が３０℃である空気が、ランプバルブ３２の冷却後、約２００℃となるケースを想定している。この場合、３０℃の空気の体積密度を１００％とすると２００℃の空気の体積密度は１５６％となる。つまり、空気は、約１．５倍に膨張する。リフレクタ３４内部への吸入口と排気口のサイズが同じ場合、通風抵抗が大きくなり内部で膨張した空気の排出が円滑にできず、冷却効果が低下する可能性がある。
【００４６】
そこで本実施形態では、第１及び第２の実施形態における、上整流部６１及び下整流６２として新たな構成を導入することで、上整流部６１及び下整流部６２が、上側にあるときに、リフレクタ３４内部への吸入口（第１及び第２のリフレクタ前方開口部３５，３６）の大きさが半分になるようにした。ここでは、第１の実施形態の構成に適用しているが、第２の実施形態にも適用できる。
【００４７】
図８は、本実施形態のプロジェクタ２００の投光部２０における冷却風の流れを模式的に示した図である。ここでは、正面図で表している。また、図９（ａ）は、図８のＡ−Ａ断面を示しており、正面視で投光部２０の左側部分の構成である。なお、図９（ａ）の構成及びその動作は第１の実施形態と同様であり、説明を省略する。また、図９（ｂ）は、図８のＢ−Ｂ断面を示しており、正面視で投光部２０の右側部分の構成である。
【００４８】
図示のように、上整流部６１を、第１及び第２の上整流部６１ａ，６１ｂの左右二つの構成に分けている。同様に、下整流部６２を第１及び第２の下整流部６２ａ，６２ｂの左右二つの構成に分割した。そして、第１の上整流部６１ａと第１の下整流部６２ａは、第１及び第２の実施形態の上整流部６１及び下整流部６２と同じ機能を備えている。そして、第２の上整流部６１ｂ及び第２の下整流部６２ｂは、上側にあるときに第１のリフレクタ前方開口部３５の半分の領域を塞ぎ、下側にあるときにはランプバルブ３２を冷却した後の空気をリフレクタ３４後方に流し、また、吹付ダクト２８から供給される空気の全てを下カバー４６側に迂回させる。図１０は第２の上整流部６１ｂ及び第２の下整流部６２ｂを模式的に示した図であり、図１０（ａ）は、上側にある状態を、図１０（ｂ）は下側にある状態を示している。なお、図１１に、図９の状態の、上カバー４４及び下カバー４６を模式的に示している。図１１（ａ）は、上から見た上カバー４４の図（平面図）を示しており、図１１（ｂ）は、下カバー４６を下から見た図（底面図）を示している。なお、冷却風の投光部２０への導入を円滑にするために、第１及び第２の上整流部６１ａ，６１ｂの間、第１及び第２の下整流部６２ａ，６２ｂの間には仕切が設けられている。また、それらに対応して第１の吹付ダクト２８ａのダクト開口２９ａ，２９ｂも仕切が設けられている。
【００４９】
そして、第２の上整流部６１ｂは、第１のリフレクタ前方開口部３５の前方部分に回転軸７７が固定されて、かつ第１のリフレクタ前方開口部３５を塞ぐことができる大きさの回転板を有している。図９（ｂ）に示すように、この回転板７８は、上側にあるときには回転軸７７と反対側（図右側）の端部がリフレクタ３４の端部３４の上側に位置する。これによって、回転板７８は重力によって第１のリフレクタ前方開口部３５を塞ぐことになる。また、吹付ダクト２８から供給される冷却用の空気は、流れを遮断するものがないため、リフレクタ３４後方に導入される。
【００５０】
一方、下側にあるときには、回転板７８が重力によって回転軸７７を中心にして時計回り方向に回動し、回転板７８の後方側の端部が外装部４０の上開口５２の内側の縁に当接する。これによって、第２の下整流部６２ｂは、図９（ａ）の第１の下整流部６２ａと同じような配置になるため、ランプバルブ３２を冷却した後の排熱をリフレクタ３４の後方に流すことができる。また、吹付ダクト２８から供給される冷却用の空気を下カバー４６の方向へ迂回させることができる。
【００５１】
なお、回転板７８は、回転軸７７とは反対側におもりを取り付けるなどによって重量バランスを端部側が重くする構成であってもよい。また、回転板７８は、重力により所定の位置になるよう回動する構成であるが、それに限らず、例えばモータ等の駆動手段が回動させてもよい。
【００５２】
以上、本実施形態によれば、ランプバルブ３２を冷却したことで冷却風が膨張することを考慮しているので、排気を円滑にでき、したがって、ランプバルブ３２への冷却風の供給がスムーズになる。
【００５３】
以上、本発明を実施の形態をもとに説明した。この実施の形態は例示であり、それらの各構成要素の組み合わせにいろいろな変形例が可能なこと、またそうした変形例も本発明の範囲にあることは当業者に理解されるところである。
【図面の簡単な説明】
【００５４】
【図１】第１の実施形態に係る、プロジェクタの外観を模式的に示した図である。
【図２】第１の実施形態に係る、プロジェクタの構成を模式的に示した図である。
【図３】第１の実施形態に係る、投光部を模式的に示した正面図である。
【図４】第１の実施形態に係る、上整流部及び下整流部の構造を模式的に示した図である。
【図５】第１の実施形態に係る、従来方式の構成と本実施形態による構成によるランプバルブの表面温度に関して、最高温度と最低温度を計測した結果を示す表である。
【図６】第２の実施形態に係る、プロジェクタの構成を模式的に示した図である。
【図７】第３の実施形態に係る、ランプバルブの冷却前後の空気の体積変化の計算値を示した表である。
【図８】第３の実施形態に係る、プロジェクタの投光部における冷却風の流れを模式的に示した図である。
【図９】第３の実施形態に係る、プロジェクタの構成を模式的に示した図である。
【図１０】第３の実施形態に係る、第２の上整流部及び第２の下整流部を模式的に示した図である。
【図１１】第３の実施形態に係る、上カバー及び下カバーを模式的に示した図である。
【符号の説明】
【００５５】
１０，１００，２００  プロジェクタ
２０  投光部
２２  メカ部
２４  ランプ冷却ファン
２６  排熱ファン
２８  吹付ダクト
２８ａ  第１の吹付ダクト
２８ｂ  第２の吹付ダクト
２９ａ，２９ｂ  ダクト開口
３０  ランプ部
３２  ランプバルブ
３４  リフレクタ
３４ａ  端部
３５  第１のリフレクタ前方開口部
３６  第２のリフレクタ前方開口部
４０  外装部
４２  ランプカバー
４４  上カバー
４６  下カバー
５２  上開口
５２ａ  迂回用上開口
５２ｂ  導入用上開口
５４  下開口
５４ａ  迂回用下開口
５４ｂ  導入用下開口
６１  上整流部
６１ａ  第１の上整流部
６１ｂ  第２の上整流部
６２  下整流部
６２ａ  第１の下整流部
６２ｂ  第２の下整流部
６３  上カバー整流部
６４  下カバー整流部
６６  整流板
６７  回転軸
６８  おもり
７２  上空気吸入口
７４  下空気吸入口
【図１】
0004777324.tif 000002
【図２】
0004777324.tif 000003
【図３】
0004777324.tif 000004
【図４】
0004777324.tif 000005
【図５】
0004777324.tif 000006
【図６】
0004777324.tif 000007
【図７】
0004777324.tif 000008
【図８】
0004777324.tif 000009
【図９】
0004777324.tif 000010
【図１０】
0004777324.tif 000011
【図１１】
0004777324.tif 000012